(57)【要約】【課題】第１と第２の筐体の開位置及び閉位置の保持及び解放をこれらの筐体のヒンジ部分に配置して筐体内の空間を有効利用することができ、第１と第２の筐体の閉位置からの解放の操作性を向上することができる。【解決手段】第１と第２の筐体のヒンジ収納部内に嵌装されるヒンジ部材２２、２４を備え、ヒンジ部材２２、２４に保持され相互に弾接して噛み合って筐体の閉位置と開位置とを保持する第１と第２のディスク３２、３４とから成り、第２のディスク３４に係入して保持された突部形成駒３６Ｂと第１のディスク３２に形成された案内凹部３６Ｒとを有し、ヒンジ部材２４に保持されヒンジ収納部から露出するように付勢される操作部材４２と、操作部材４２と突部形成駒３６Ｂとの間に配置されて操作部材４２をヒンジ収納部内に押し込むと突部形成駒３６Ｂを案内凹部３６Ｒの閉位置から変位して第１と第２の筐体２、３の間を開く解放部材４４とから成っている。【選択図】図９
2008115919.tif 000002
【特許請求の範囲】
【請求項１】
第１の筐体と第２の筐体とを折畳み自在に結合して構成され、前記第１と第２の筐体の開位置と閉位置とを保持する保持手段と、前記保持手段による閉位置から解放して前記第１と第２の筐体をやや開いた位置にするように前記保持手段を解放する解放手段と、前記第１の筐体のヒンジ収納部と第２の筐体のヒンジ収納部内に嵌装されて前記第１と第２の筐体を相互に回転自在に支持するヒンジ本体とを備え、前記保持手段は、前記ヒンジ本体に保持され相互に相対面して噛み合って閉位置と開位置とを保持する第１と第２のディスクと、前記ヒンジ本体に保持されて前記第１と第２のディスクを相互に弾接するように付勢するばね部材とから成り、且つ前記第１と第２のディスクのいずれか一方のディスクに係入して保持された突部形成駒と他方のディスクに形成された案内凹部とを有し、前記解放手段は、前記ヒンジ本体に保持され前記第１と第２の筐体のいずれかのヒンジ収納部から露出するように付勢される操作部材と、前記操作部材と前記保持手段の突部形成駒との間に配置されて前記操作部材をヒンジ収納部の内方に向けて押し込むと、前記保持手段の突部形成駒を前記案内凹部の閉位置から変位して前記第１と第２の筐体との間を前記やや開いた位置まで開く解放部材とから成っていることを特徴とする折畳み機器用ヒンジアセンブリ。
【請求項２】
請求項１に記載の折畳み機器用ヒンジアセンブリであって、前記ヒンジ本体は、前記第１のディスクを保持する第１のヒンジ部材と前記第２のディスクを保持する第２のヒンジ部材とから成り、前記第１と第２のヒンジ部材は、いずれかのディスクに相応するヒンジ部材側に前記ばね部材を配置した状態で軸杆によって相互に結合され、前記解放手段の操作部材は、いずれかのヒンジ部材に戻りばねを介して軸線方向に変位可能に保持されていることを特徴とする折畳み機器用ヒンジアセンブリ。
【請求項３】
請求項２に記載の折畳み機器用ヒンジアセンブリであって、前記解放部材は、前記操作部材を保持するヒンジ部材を貫通して前記操作部材と前記突部形成駒との間に配置されたリリースピンから成り、前記リリースピンは、前記突部形成駒に係合して前記リリースピンの押し込みで前記突部形成駒を前記保持手段の解放方向に変位する傾斜案内面を有することを特徴とする折畳み機器用ヒンジアセンブリ。
【請求項４】
請求項１乃至３のいずれかに記載の折畳み機器用ヒンジアセンブリであって、前記突部形成駒を保持するディスクは、前記突部形成駒が係入する径方向に延びる保持溝を有し、前記保持溝は、前記案内凹部の閉位置側の溝部分に対応する径位置が最も深くなっていて前記突部形成駒が安定的に保持されるように傾斜している底部を有することを特徴とする折畳み機器用ヒンジアセンブリ。
【発明の詳細な説明】
【技術分野】
【０００１】
本発明は、例えば、携帯電話の如き折畳み機器に用いられるヒンジアセンブリに関し、特に折畳み機器を片手で容易に開くことができるようにした折畳み機器用ヒンジアセンブリに関するものである。
【背景技術】
【０００２】
携帯電話、化粧用コンパクトの如き折畳み機器は、第１の筐体と第２の筐体とをヒンジで折畳み自在に結合して構成されている。一方、この折畳み機器は、第１と第２の筐体の開位置と閉位置とを保持する保持手段と、この保持手段による閉位置から解放して第１と第２の筐体をやや開いた位置にするように保持手段を解放する解放手段とを備えているものがある。
【０００３】
この種の折畳み機器の一例が特許文献１に開示されており、この折畳み機器の保持手段は、第１と第２の筐体のいずれか一方の筐体内に配置されてこれらの筐体の相対する壁面を貫通する係止鉤を有する係止部材から成っており、この係止部材は、通常では、係止鉤が係止状態にあるようにばね付勢されている。従って、折畳み機器の第１と第２の筐体は、この係止鉤によって閉位置を保持している。また、この保持手段を解放する解放手段は、この一方の筐体の側面に露出し、保持手段の係止部材に傾斜案内面に係合する案内部を有する押し釦状の操作部材から成っており、この操作部材は、保持手段のばね付勢によって通常では一方の筐体の側面から若干突出するようになっている。従って、この操作部材を一方の筐体の側面に向けて押し込むと、係止部材が操作部材との案内係合面に沿ってばね付勢に抗して変位して係止部材の係止鉤の係止を解放するため、第１と第２の筐体とを小さな角度だけ開くようになっている。その後、これらの筐体の間に指を差し込んでこれらの筐体を大きく展開して機器を使用状態とする。
【０００４】
しかし、このような構造では、保持手段及び解放手段が筐体の内部空間を利用して配置されているので、筐体内の空間が狭められて筐体内に配置すべき機能部品収納空間が小さくなり、折畳み機器を小型化することができない欠点があった。
【０００５】
また、このような構造の折畳み機器は、解放手段を操作する操作部材（押し釦）が機器のヒンジ部とは反対側の自由端側に設けられているので、片手で機器を保持した状態では、操作部材を操作し（押し込み）難いため、機器の開閉の操作性が低い欠点があった。
【０００６】
一方、折畳み機器の保持手段を折畳み機器のヒンジアセンブリ内に設ける折畳み機器用ヒンジアセンブリが実施されている（特許文献２参照）。
【０００７】
このヒンジアセンブリは、第１の筐体の筒状ヒンジ収納部と第２の筐体の筒状ヒンジ収納部内に嵌装されて第１と第２の筐体を相互に回転自在に支持するヒンジ本体と、このヒンジ本体に保持され相互に相対面して噛み合って閉位置と開位置とを保持する第１と第２のディスクと、ヒンジ本体に保持されて第１と第２のディスクを相互に弾接するように付勢するばね部材とから成っている。
【０００８】
このヒンジアセンブリは、第１と第２の筐体を閉じると、第１と第２のディスクが１つの噛み合い位置で対面して第１と第２の筐体の閉位置を保持し、第１と第２の筐体を開くと、第１と第２のディスクが他の噛み合い位置で対面して第１と第２の筐体の開位置を保持する。
【０００９】
このようにヒンジアセンブリ内に第１と第２の筐体の開位置と閉位置とを保持する保持手段を内蔵すると、筐体内の空間を有効利用することができるので、近年薄型化されてきている携帯電話の如き折畳み機器に有効に適用することができるが、第１と第２の筐体を閉位置から開位置に解放する解放手段を有しないので、第１と第２の筐体を開く操作は、第１と第２の筐体を両手で開かなければならないため、操作性が低い欠点があった。
【００１０】
【特許文献１】特開２００３−６０７５８号公報
【特許文献２】特開２０００−３３７００８号公報
【発明の開示】
【発明が解決しようとする課題】
【００１１】
本発明が解決しようとする１つの課題は、第１と第２の筐体の開位置及び閉位置を保持する保持手段と共にその解放手段もこれらの筐体のヒンジ部分に配置して筐体内の空間を有効利用することができる折畳み機器用ヒンジアセンブリを提供することにある。
【００１２】
本発明が解決しようとする他の課題は、第１と第２の筐体の閉位置からの解放の操作性を向上することができる折畳み機器用ヒンジアセンブリを提供することにある。
【課題を解決するための手段】
【００１３】
本発明の課題解決手段は、第１の筐体と第２の筐体とを折畳み自在に結合して構成され、第１と第２の筐体の開位置と閉位置とを保持する保持手段と、この保持手段による閉位置から解放して第１と第２の筐体を開くように保持手段を解放する解放手段と、第１の筐体のヒンジ収納部と第２の筐体のヒンジ収納部内に嵌装されて第１と第２の筐体を相互に回転自在に支持するヒンジ本体とを備え、保持手段は、このヒンジ本体に保持され相互に相対面して噛み合って閉位置と開位置とを保持する第１と第２のディスクと、ヒンジ本体に保持されて第１と第２のディスクを相互に弾接するように付勢するばね部材とから成り、且つ第１と第２のディスクは、いずれか一方のディスクに係入して保持された突部形成駒と他方のディスクに形成された案内凹部とを有し、解放手段は、ヒンジ本体に保持され第１と第２の筐体のいずれかのヒンジ収納部から露出するように付勢される操作部材と、この操作部材と保持手段の突部形成駒との間に配置されて操作部材をヒンジ収納部の内方に向けて押し込むと、保持手段の突部形成駒を案内凹部の閉位置から変位して第１と第２の筐体との間をやや開いた位置まで開く解放部材とから成っていることを特徴とする折畳み機器用ヒンジアセンブリを提供することにある。
【００１４】
本発明の課題解決手段において、ヒンジ本体は、第１のディスクを保持する第１のヒンジ部材と第２のディスクを保持する第２のヒンジ部材とから成り、これらの第１と第２のヒンジ部材は、いずれかのディスクに相応するヒンジ部材側にばね部材を配置した状態で軸杆によって相互に結合され、解放手段の操作部材は、このいずれかのヒンジ部材に戻しばねを介して軸線方向に変位可能に保持されている形態とすることができる。
【００１５】
この場合、解放部材は、操作部材を保持するヒンジ部材を貫通して操作部材と突部形成駒との間に配置されたリリースピンから成り、このリリースピンは、突部形成駒に係合してリリースピンの押し込みで突部形成駒を保持手段の解放方向に変位する傾斜案内面を有するものとするのが好ましい。
【００１６】
また、本発明の課題解決手段において、突部形成駒を保持するディスクは、この突部形成駒が係入する径方向に延びる保持溝を有し、この保持溝は、案内凹部の閉位置側の溝部分に対応する径位置が最も深くなっていて突部形成駒が安定的に保持されるように傾斜している底部を有するのが望ましい。
【発明の効果】
【００１７】
本発明によれば、上記のように、第１と第２の筐体の開位置及び閉位置を保持する保持手段と共にその解放手段もこれらの筐体のヒンジ部分に配置するので、折り畳み機器の筐体内の空間を有効利用することができ、機器を小型化することができる。
【００１８】
また、第１と第２の筐体の閉位置から解放する解放手段が折り畳み機器のヒンジ部分に位置するので、片手で機器を保持しながらその親指で解放操作することができるので、機器の開閉操作性を向上することができる。
【発明を実施するための最良の形態】
【００１９】
本発明の好ましい実施の形態によるヒンジアセンブリ１０を用いた折畳み機器（例えば携帯電話）１が図１乃至図３に示されている。この折畳み機器１は、第１の筐体２と第２の筐体３とから成っている。図示の例では、第１の筐体２は、機能ボタン４等及びその関連機能部品が収納された下側筐体であってその枢支端の両側に２つの筒状ヒンジ収納部２Ｃ１、２Ｃ２を有し（図１（Ｄ）参照）、第２の筐体３は、ディスプレー５等及びその関連機能部品が収納された上側筐体であり、その枢支端の中央に１つの筒状ヒンジ収納部３Ｃを有する（図１（Ｄ）参照）。第１と第２の筐体２、３は、第１の筐体２の筒状ヒンジ収納部２Ｃ１と第２の筐体３の筒状ヒンジ収納部３Ｃとの間に跨って挿入された本発明のヒンジアセンブリ１０と、第１の筐体２の筒状ヒンジ収納部２Ｃ２と第２の筐体３の筒状ヒンジ収納部３Ｃとの間に跨って挿入された短軸杆６とによって開閉自在に枢支されている（図２（Ｅ）（Ｆ）及び図３参照）。なお、図３において、符号７は、下側の第１の筐体２に取り付けられて第２の筐体３が開く時のストッパーであり、ねじ８によって第１の筐体２に取り付けられている。
【００２０】
第１の筐体２と第２の筐体３とは、本発明のヒンジアセンブリ１０の後に述べる保持手段を解放すると、所定の小さな角度、例えば１５度まで自動的に開くことができるように、ばね部材３８によって付勢されている。
【００２１】
本発明のヒンジアセンブリ１０は、図４及び図５に示されている。このヒンジアセンブリ１０は、第１の筐体２の筒状ヒンジ収納部２Ｃ１と第２の筐体３の筒状ヒンジ収納部３Ｃ内に嵌装されて第１と第２の筐体２、３を相互に回転自在に支持するヒンジ本体２０と、第１と第２の筐体２、３の開位置と閉位置とを保持する保持手段３０と、この保持手段３０による閉位置から解放して第１と第２の筐体２、３を開くように保持手段３０を解放する解放手段４０とを有する。
【００２２】
保持手段３０は、ヒンジ本体２０に保持され相互に相対面して噛み合って閉位置と開位置とを保持する第１と第２のディスク３２、３４と、ヒンジ本体２０に保持されて第１と第２のディスク３２、３４を相互に弾接するように付勢するばね部材３８とから成っている。
【００２３】
図示の形態では、ヒンジ本体２０は、第１のディスク３２を保持する第１の筒状ヒンジ部材２２と、第２のディスク３４を保持する第２の短筒状ヒンジ部材２４とから成り、これらの第１と第２のヒンジ部材２２、２４は、第１のディスク３２とこの第１のディスク３２を保持するヒンジ部材２２との間にばね部材３８を配置した状態で軸杆２６によって相互に結合されている。
【００２４】
軸杆２６は、図４（Ｅ）から解かるように、第１と第２のヒンジ部材２２、２４の貫通孔２２Ｈ、２４Ｈ及びこれらのヒンジ部材２２、２４にそれぞれ保持された第１と第２のディスク３２、３４の貫通孔３２Ｈ、３４Ｈを貫通し、その後端の鍔２６Ｆを第１のヒンジ部材２２の後面のへこみ２２Ｒに係入し、その先端２６Ｌは、第２のヒンジ部材２４の貫通孔２４Ｈの外側拡大テーパ孔部分２４ＴＨの壁面に加締め付けて第１と第２のヒンジ部材２２、２４と第１及び第２のディスク３２、３４を一体に組み付けている。図４（Ｅ）から解かるように、ばね部材３６は、第１のヒンジ部材２２内に収納されている。
【００２５】
図５（Ａ）に示すように、第１のヒンジ部材２２は、第２の筐体３の筒状ヒンジ収納部３Ｃの１対の突条（図３参照）に係入する１対の回り止め用係入凹条２２Ｅを有し、従って第１のヒンジ部材２２は、第２の筐体３と共に回転することができる。
【００２６】
同様にして、図５（Ａ）に示すように、第２のヒンジ部材２４は、第１の筐体２の筒状ヒンジ収納部２Ｃ１の１対の突部（図３参照）に係入する１対の回り止め用凹条２４Ｅを有し、従って第２のヒンジ部材２４も、第１の筐体２と共に回転することができる。
【００２７】
図５（Ａ）（Ｂ）及び図６から解かるように、図示の形態では、第１のディスク３２は、１対の固定ピン３２Ｐを有し、第１のディスク３２は、この固定ピン３２Ｐを１対の相対する案内突部３２ＢＰを有する基板３２Ｂの相応する係入孔３２ＢＥ（図５（Ｂ）参照）に圧入して基板３２Ｂに保持されている。基板３２Ｂは、１対の案内突部３２ＢＰを含む全体が第１のヒンジ部材２２の相応する形状の１対の係入溝２２Ｇに摺動自在に係入されている。従って、第１のディスク３２は、この基板３２Ｂを介して第１のヒンジ部材２２に保持され、第１のヒンジ部材２２と一緒に回転することができるが、１対の係入溝２２Ｇに係入している１対の案内突部３２ＢＰがこの係入溝２２Ｇに沿って摺動することによって第１のヒンジ部材２２に対して軸線方向に進退することができることが解かる。なお、図示の形態では、第１のディスク３２は、基板３２Ｂを介して第１のヒンジ部材２２に保持されているが、第１のディスク３２と基板３２Ｂとは、一体化されていてもよい。
【００２８】
同様に、図５（Ａ）（Ｂ）及び図７から解かるように、第２のディスク３４は、１対の相対する案内突部３４Ｐを有する円板の形態を有し、この第２のディスク３４は、１対の案内突部３４Ｐを含む全体が第２のヒンジ部材２４の相応する形状の係入溝２４Ｇ内に圧入等の適宜の手段で固定されている。従って、第２のディスク３４は、第２のヒンジ部材２４と一体化され、第２のヒンジ部材２４と一緒に回転することができることが解かる。なお、第２のディスク３４は、第２のヒンジ部材２４と別体ではなく、一体化していてもよい。
【００２９】
保持手段３０は、更に、図４（Ｅ）、図５及び図６に示すように、第２のディスク３４の案内突部３４Ｐの内面に設けられた１対の相対する保持溝３４Ｇに係入して保持された１対の突部形成駒３６Ｂと、第１のディスク３２に形成された１対の案内凹部３６Ｒ（図６（Ｃ）（Ｄ）参照）とから成り、１対の駒３６Ｂは、第２のディスク３４の内面にカム可動突部を形成し、第１のディスク３２の１対の案内凹部３６Ｒは、このカム可動突部が係入して第１と第２のディスク３２、３４を噛み合わせるカム凹部を形成している。
【００３０】
突部形成駒３６Ｂは、図示の例では、後に述べるように、この駒３６Ｂがディスク３２、３４の径方向及びディスク３２の周方向に変位することができるように転動するのに有利なボールの形態を有するが、ディスク３２、３４のこれらの方向に変位することができれば、ローラその他の任意の形態とすることができる。
【００３１】
図５から解かるように、第１のディスク３２は、第１及び第２のヒンジ部材２２、２４の間にあってこれらのヒンジ部材２２、２４とほぼ同径の外周面を有するので、筒状ヒンジ収納部２Ｃ１、３Ｃに係入することができるようにするために、これらのヒンジ部材２２、２４の回り止め用凹条２２Ｅ、２４Ｅに整列した同様の形態の凹条３２Ｅを有する。
【００３２】
第２のディスク３４の保持溝３４Ｇは、図５、図７及び図１２に示すように、突部形成駒３６Ｂが第２のディスク３４の径方向（突部３４Ｐの突出方向）に変位することができるように、長溝の形態を有する。この長溝の形態の保持溝３４Ｇは、特に、図８で拡大し誇張して示すように、案内突部３４Ｐの外側に対応する部分３４ＧＤが最も深く第２のディスク３４の内側に向けて次第に浅くなるように曲面状に傾斜する底部３４ＧＢを有する。従って、この保持溝３４Ｇに保持される突部形成駒３６Ｂは、通常では、第２のディスク３４の外側に安定的に保持されるが、外部から第２のディスク３４の内側に向けて力が作用すると、保持溝３４Ｇの徐々に浅い方に移行することができるようになっているが、この外部からの力が解除されると、保持溝３４Ｇの底部の傾斜に沿って最も深い外側に戻ろうとする。
【００３３】
また、第１のディスク３２の１対の案内凹部３６Ｒの各々は、図６、図９乃至図１１に示すように、第１と第２の筐体２、３が閉じた位置と全開角度まで開いた位置とで駒３６Ｂが安定的に係入する第１の溝部分３６Ｒ１と、駒３６Ｂが第１のディスク３２の内径方向に変位し、その後外径方向と周方向とに変位しながら第１と第２のディスク３２、３４を離反する方向（ディスクの厚み方向）に変位することができるように延びる第２の溝部分３６Ｒ２とから成っている。図６（Ｄ）から解かるように、第１の溝部分３６Ｒ１と第２の溝部分３６Ｒ２との間には駒３６Ｂが乗り越えるべき浅い壁３６ＲＷを有し、また第２の溝部分３６Ｒ２は、第１の溝部分３６Ｒ１に隣接する最も内径の位置では深いが、外径方向と周方向に変位するにつれて徐々に浅くなるように形成され、従って駒３６Ｂは、第２の溝部分３６Ｒ２に沿って外径方向に変位すると、第１のディスク３２をばね部材３８に抗して第２のディスク３４から離反するように押す働きを有する。
【００３４】
この保持手段３０によって第１と第２の筐体２、３の閉位置、開位置における第１と第２のディスク３２、３４の位置関係とこれらの閉位置と開位置との間での第１と第２のディスク３２、３４の動きがどのように変化するかについては後に詳細に述べる。
【００３５】
解放手段４０は、図４及び図５に示すように、ヒンジ本体２０に保持され第１と第２の筐体２、３のいずれかの筒状ヒンジ収納部、図示の例では、筒状ヒンジ収納部２Ｃ１の外端に露出するように付勢される操作部材４２と、この操作部材４２と保持手段３０の突部形成駒３６Ｂとの間に配置されて操作部材４２を筒状ヒンジ収納部２Ｃ１内に押し込むと、保持手段３０の突部形成駒３６Ｂを第１のディスク３２の案内凹部３２Ｒの閉位置から変位して第１と第２の筐体２、３の間を開く解放部材４４とから成っている。なお、図示の例では、操作部材４２は、その頭部が筒状ヒンジ収納部２Ｃ１から突出するように露出しているが、指で押し込むように操作することができれば、筒状ヒンジ収納部２Ｃ１内に若干引っ込んだ状態で露出していてもよい。
【００３６】
図示の例では、操作部材４２は、図４及び図５から解かるように、冠状の押釦の形態を有し、また、解放部材４４は、２つのリリースピン４４Ｐから成っており、これらのリリースピン４４Ｐは、操作部材４２の係止孔４２Ｐに圧入してこの操作部材４２に固定され、第２のヒンジ部材２４の貫通孔２４Ｐ及び第２のディスク３４の保持溝３４Ｇの外側の端部に連通する貫通孔３４ＰＨを貫通して突部形成駒３６Ｂに係合している。なお、図示の例では、リリースピン４４Ｐは、四角形の断面を有するが、矩形、円形、楕円形その他の任意の断面とすることができる。
【００３７】
図４（Ｅ）に示すように、リリースピン４４Ｐは、突部形成駒３６Ｂに係合する先端部分にこの駒３６Ｂを内径方向に変位するための傾斜案内面４４ＰＧを有する。
【００３８】
操作部材４２が筒状ヒンジ収納部２Ｃ１から突出してリリースピン４４Ｐの傾斜案内面４４ＰＧが駒３６Ｂを押す力がかかることがないようにするために操作部材４２と第２のヒンジ部材２４との間に戻りばね４６が配置されている。操作部材４２は、この戻りばね４６に抗して筒状ヒンジ収納部２Ｃ１内に押し込んで解放部材４４を介して駒３６Ｂを内径方向に変位することができる。
【００３９】
操作部材４２は、図５に示すように、その内面から突出する１対の弾性爪４８を有し、これらの弾性爪４８は、戻りばね４６を圧縮した状態で第２のヒンジ部材２４の爪貫通孔２４ＰＨを貫通して爪案内長孔２４ＰＧに係入して第２のヒンジ部材２４に組み付けられている。従って、操作部材４２は、弾性爪４８が爪案内長孔２４ＰＧの外側の端部に係止するまで戻りばね４６によって筒状ヒンジ収納部２Ｃ１から突出するように付勢されているが、この戻りばね４６に抗して操作部材４２を押し込むと、弾性爪４８が爪案内孔２４ＰＧに沿って案内されながら操作部材４２は解放部材４４を押し込む。なお、図５において、符号４２ＧＰは、操作部材４２の内面から解放部材４４に平行に延びる複数のガイドピンであり、これらのガイドピン４２ＧＰは、第２のヒンジ部材２４のガイド孔ＧＨに摺動自在に係入して操作部材４２及び解放部材４４を軸線方向に案内している。
【００４０】
次に、図示のヒンジアセンブリ１０の動作を図１及び図１０乃至図１３を参照して以下に詳細に説明する。
【００４１】
（筐体閉位置の保持）
まず、第１と第２の筐体２、３が完全に閉じた図１（Ａ）の状態では、図９（Ａ）、図１０（Ａ）に示すように、１対の突部形成駒３６Ｂは、第２のディスク３４の保持溝３４Ｇの外径側と第１のディスク３２の第１の溝部分３６Ｒ１とに安定状態で係入して第１と第２のヒンジ部材２２、２４を介して第１と第２の筐体２、３の閉位置に保持している（図１２の（１）及び図１３の（１）参照）。この状態は、第１と第２の筐体２、３の閉位置ロック状態である。
【００４２】
（保持解放操作の開始）
第１と第２の筐体２、３を開こうとする際には、図９（Ｂ）に示すように、解放手段４０の押釦状の操作部材４２を指で押す。このようにすると、操作部材４２が戻りばね４６を圧縮しつつ筒状ヒンジ収納部２Ｃ１の内方に向けて移動するので、この操作部材４２に固定されている１対の解放部材４４（リリースピン４４Ｐ）を同様に内方に移動し、その先端の傾斜案内面４４ＰＧが突部形成駒３６Ｂを第２のディスク２４の保持溝３４Ｇの内径方向に変位し、従って、突部形成駒３６Ｂは、第１のディスク２２の第１の溝部分３６Ｒ１から壁３６ＲＷを乗り越えて第２の溝部分３６Ｒ２の最も深い部分（図６（Ｄ）参照）の手前に位置する（図１１の（２）及び図１２の（２）及び図１３の（２）参照）。この保持解放操作開始位置では、第１と第２の筐体２、３は、まだ、開いていない（図１（Ｂ）参照）。
【００４３】
（筐体の半開き位置までの自動開放）
図６（Ｄ）に示すように、第２の溝部分３６Ｒ２は、壁３６ＲＷよりやや周方向にずれた位置で最も深くなっており、従って突部形成駒３６Ｂは、第１と第２の筐体２、３を開く方向に付勢しているばね部材３８と協動して壁３６ＲＷを乗り越えた位置からこの最も深い位置（図１３の（３）参照）に自動的に転動するので、第２のディスク２４が突部形成駒３６の周方向の変位に伴って角度変位し、従って第２のヒンジ部材２４を介して筒状ヒンジ収納部３Ｃを揺動し、第２の筐体３は、図１（Ｃ）に示すように、例えば、１５度程度開く（図９（Ｃ）、図１１の（３）、図１２の（３）及び図１３の（３）参照）。この小さな角度での自動開放によって第１の筐体２と第２の筐体３との間には指を入れることができる程度の隙間が発生する（図１（Ｃ）参照）。
【００４４】
（筐体の完全開放）
従って、第１と第２の筐体２、３の間に指を入れて第２の筐体３を押し開けることによって、第２の筐体３を完全に開くことができるが、この際、第２のディスク３４内の突部形成駒３６Ｂは、第１のディスク３２の１対の案内凹部３６Ｒの第２の溝部分３６Ｒ２から外れて第１のディスク３２の表面を転動する（図１１の（６）、図１２の（６）及び図１３の（６）参照）。この場合、突部形成駒３６Ｂは、第２のディスク３４の保持溝３４Ｇの底部３４ＧＢの傾斜に沿って最も深い外径位置にある溝部分３４ＧＤに転動するので、案内凹部３６Ｒを外れた後は、突部形成駒３６Ｂは、案内凹部３６Ｒの第１の溝部分３６Ｒ１と同じ外径位置に自動的に位置変位される。このようにして、第２の筐体３の開放に伴って突部形成駒３６Ｂは、第２のディスク３４の１対の案内凹部３６Ｒの反対側の案内凹部３６Ｒの第１の溝部分３６Ｒ１に係入して第２のディスク３４が第１のディスク３２に対して時計方向（図１１参照）に回動して第２の筐体３を第１の筐体２から離反するように約１６０度程度開き、第１と第２の筐体２、３の開位置（図１（Ｄ）参照）が保持される（図１１の（７）、図１２の（７）参照）。従って、第１と第２の筐体２、３の開いた状態が保持されるので、携帯電話を使用することができる。
【００４５】
（筐体の閉動作）
携帯電話を閉じるには、第２の筐体３を第１の筐体２に完全に閉じるように第１の筐体２に向けて手で折畳む。このようにすると、第２の筐体３と一体の筒状ヒンジ収納部３Ｃと連動する第１のヒンジ部材２２が元に戻る方向に回動するので、第１のディスク３２は、第２のディスク３４に対して図１１及び図１２の（７）の位置から（８）（９）（１０）の位置に時計方向に順次回動し、最後に図１１、図１２の（１）の位置まで１６０度戻ると、筒状ヒンジ収納部３Ｃを介して第２の筐体３が第１の筐体２に閉じる。
【００４６】
この場合、図１２の（８）（９）（１０）から解かるように、第２のディスク３４に係入している突部形成駒３６Ｂは、第１のディスク３２の１対の案内凹部３６Ｒの第２の溝部分３６Ｒ２を経ることなく、第２のディスク３４の保持溝３４Ｇの最も深い部分３４ＧＤに保持されたまま第１のディスク３２の外周部分に沿って転動しつつ第１の溝部分３６Ｒ１に入り込んで第１と第２の筐体２、３の状態を保持する。
【００４７】
第２のディスク３４に係入している突部形成駒３６Ｂが案内凹部３６Ｒの第２溝部分３６Ｒ２内や案内凹部３６Ｒから外れた位置にあるときは、突部形成駒３６Ｂは、第１のディスク３２をばね部材３８に抗して第１のヒンジ部材２２の内側に押し込みながら第１のディスク３２上を転動し、従って第１と第２のディスク３２、３４の相対的な回動が許されることは理解できることと思う。なお、図１１は、突部形成駒３６Ｂの周方向の動きのみを示して第１のディスク３２の案内凹部３６Ｒは静止状態にして便宜的に示されているが、実際には、第１のディスク３２が図１１の反時計方向に回転して突部形成駒３６Ｒは周方向には静止している。
【００４８】
上記実施の形態では、第１のディスク３２に設けられた案内凹部３６Ｒの第２の溝部分３６Ｒ２は、図６（Ｄ）及び図１３に示すように、最も深い部分から次第に浅くなりながら外径方向に延びているが、この部分は、第１と第２の筐体２、３を指で強制的に開く部分であるので、最も深い部分で終わっているか徐々に浅くなる部分の長さを更に短縮してもよい。
【産業上の利用可能性】
【００４９】
本発明によれば、第１と第２の筐体の開位置及び閉位置を保持する保持手段と共にその解放手段もこれらの筐体の筒状ヒンジ収納部を有する位置に配置するので、折畳み機器の筐体内の空間を有効利用することができ、機器を小型化することができ、また、第１と第２の筐体の閉位置から解放する操作部材が折畳み機器の筒状ヒンジ収納部を有する部分に位置するので、片手で機器を保持しながらその親指で解放操作することができるので、機器の開閉操作性を向上し、高い産業上の利用性を有する。
【図面の簡単な説明】
【００５０】
【図１】本発明のヒンジアセンブリが用いられた携帯電話を示し、同図（Ａ）乃至（Ｄ）はそれぞれ第１と第２の筐体が閉じた状態から完全に開いた状態までの間でヒンジアセンブリが異なる位置に対応する筐体間の相対関係を示す斜視図である。
【図２】図１の携帯電話を示すが、同図（Ａ）は、その正面図、同図（Ｂ）は、その側面図、同図（Ｃ）は、その上面図、同図（Ｄ）は、その下面図、同図（Ｅ）は、同図（Ａ）のＥ−Ｅ線断面図、同図（Ｆ）は、同図（Ｂ）のＦ−Ｆ線断面図である。
【図３】図１の携帯電話の筐体のヒンジ部の分解斜視図である。
【図４】本発明のヒンジアセンブリを示し、同図（Ａ）乃至（Ｅ）は、それぞれ、その正面図、背面図、左側面図、右側面図、図４（Ｂ）のＥ−Ｅ線断面図である。
【図５】図４のヒンジアセンブリを分解して示すが、同図（Ａ）は、内側から観察した分解斜視図、同図（Ｂ）は外側から観察した分解斜視図である。
【図６】図４のヒンジアセンブリに用いられる第１のディスクを示し、同図（Ａ）乃至（Ｄ）は、その斜視図、上面図、同図（Ｂ）のＣ−Ｃ線断面図、同図（Ｃ）の都部の拡大断面図である。
【図７】図４のヒンジアセンブリに用いられる第２のディスクを示し、同図（Ａ）乃至（Ｃ）は、それぞれ、平面図、同図（Ａ）のＢ−Ｂ線及びＣ−Ｃ線断面図である。
【図８】図７（Ｃ）の１対の保持溝のみを一層拡大しその傾斜を若干誇張して示す第２のディスクの保持溝のみの拡大断面図である。
【図９】図４のヒンジアセンブリの異なる状態を示し、同図（Ａ）乃至（Ｄ）は、それぞれ、第１と第２の筐体が閉じた位置、開こうとするが未だ開いていない位置、自動的に開いた位置及び完全に開いた位置の縦断面図である。
【図１０】図９（Ａ）乃至（Ｄ）位置にそれぞれ相応する第１のディスクと第２のディスクとの異なる状態を示すが、第１のディスクは平面で示し、第２のディスクは断面で示し、また第１のディスクの平面を線Ｌ−Ｌで切断して示す。
【図１１】図９（Ａ）乃至（Ｄ）までの間を更に細かく観察した状態の第１のディスクの平面図である。
【図１２】図９（Ａ）乃至（Ｄ）までの間を更に細かく観察した状態の第２のディスクの平面図である。
【図１３】突部形成駒と第１のディスクの案内凹部の第１と第２の溝部分の相対位置関係を示す拡大断面図である。
【符号の説明】
【００５１】
１      折畳み機器
２      第１の筐体
２Ｃ１  筒状ヒンジ収納部
２Ｃ２  筒状ヒンジ収納部
３      第２の筐体
３C    筒状ヒンジ収納部
４      機能ボタン等
５      ディスプレー等
６      短軸杆
７      電池蓋
８      ねじ
１０      ヒンジアセンブリ
２０      ヒンジ本体
２２      第１のヒンジ部材
２２Ｈ    貫通孔
２２Ｒ    へこみ
２２Ｅ    １対の回り止め用係入凹条
２２Ｇ    係入溝
２４      第２のヒンジ部材
２４Ｇ    係入溝
２４Ｈ    貫通孔
２４ＴＨ  拡大テーパ孔部分
２４Ｅ    １対の回り止め用凹条
２４Ｐ    貫通孔
２４ＰＧ  爪案内長孔
２４ＰＨ  ガイドピンの案内孔
２６      軸杆
２６Ｆ    鍔
２６Ｌ    先端
３０      保持手段
３２      第１のディスク
３２Ｈ    貫通孔
３２Ｂ    基板
３２ＢＰ  １対の相対する案内突部
３２ＢＥ  係入孔
３２Ｅ    凹条
３４      第２のディスク
３４Ｈ    貫通孔
３４Ｐ    １対の相対する案内突部
３４Ｇ    １対の相対する保持溝
３４ＧＤ  最も深い溝部分
３４ＧＢ  底部
３４ＰＨ  貫通孔
３６Ｂ    １対の突部形成用駒
３６Ｒ    １対の案内凹部
３６Ｒ１  第１の溝部分
３６Ｒ２  第２の溝部分
３６ＲＷ  壁
３８      ばね部材
４０      解放手段
４２      操作部材
４２ＧＰ  ガイドピン
４２Ｐ    係止孔
４４      解放部材
４４Ｐ    リリースピン
４４ＰＧ  傾斜案内面
４６      戻りばね
４８      弾性爪
【図１】
2008115919.tif 000003
【図２】
2008115919.tif 000004
【図３】
2008115919.tif 000005
【図４】
2008115919.tif 000006
【図５】
2008115919.tif 000007
【図６】
2008115919.tif 000008
【図７】
2008115919.tif 000009
【図８】
2008115919.tif 000010
【図９】
2008115919.tif 000011
【図１０】
2008115919.tif 000012
【図１１】
2008115919.tif 000013
【図１２】
2008115919.tif 000014
【図１３】
2008115919.tif 000015